(57)【要約】【課題】軸方向に衝突荷重が作用した場合に、所望の向きに曲げ変形させることができると共に、座屈を抑制することができる筒状構造体を得る。【解決手段】長尺状で筒状の本体部材１２は、その軸方向視で一方側領域に配置された第一部位１４が前記軸方向視で他方側領域に配置された第二部位１６よりも軸方向の剛性が低く設定されている。本体部材１２の第一部位１４には繊維強化樹脂製の補強シート２０が貼付されている。第一部位１４と補強シート２０とが一体化されて構成された第一部位側構造部２２は、第二部位１６よりも本体部材１２の軸方向に沿う方向の剛性が低く設定されている。【選択図】図１
2019094953.tif 000002
【特許請求の範囲】
【請求項１】
長尺状とされ、その軸方向視で一方側領域に配置された第一部位が前記軸方向視で他方側領域に配置された第二部位よりも軸方向の剛性が低く設定された筒状の本体部材と、
前記本体部材の前記第一部位に貼付された繊維強化樹脂製の補強シートと、
を有し、
前記第一部位と前記補強シートとが一体化されて構成された第一部位側構造部は、前記第二部位よりも前記本体部材の軸方向に沿う方向の剛性が低く設定されている、筒状構造体。
【請求項２】
前記補強シートは、前記本体部材の軸方向の全長に亘って延在して前記第一部位に貼付されている、請求項１に記載の筒状構造体。
【請求項３】
前記補強シートは、前記本体部材の前記第一部位の外面に貼付されている、請求項１又は請求項２に記載の筒状構造体。
【請求項４】
前記補強シートは、前記第一部位に対応する範囲において前記本体部材の周方向に沿う方向に間隔をあけて複数設けられている、請求項２又は請求項２を引用する請求項３に記載の筒状構造体。
【発明の詳細な説明】
【技術分野】
【０００１】
本発明は、筒状構造体に関する。
【背景技術】
【０００２】
衝突対応のための構造が種々採用されている（特許文献１〜特許文献３参照）。
【先行技術文献】
【特許文献】
【０００３】
【特許文献１】特開２００８−１２９４２号公報
【特許文献２】特開２００６−１４３１９９号公報
【特許文献３】米国特許第６７６４１１８号明細書
【発明の概要】
【発明が解決しようとする課題】
【０００４】
ところで、筒状の構造体に対してその軸方向に衝突荷重が作用する場合があり、その場合に筒状の構造体を所望の向きに曲げ変形させたい場合がある。
【０００５】
しかしながら、筒状の構造体の座屈が進行してしまうと、実質的に衝突荷重を受け止めることができなくなり、構造部材としての役割を担えない。
【０００６】
本発明は、上記事実を考慮して、軸方向に衝突荷重が作用した場合に、所望の向きに曲げ変形させることができると共に、座屈を抑制することができる筒状構造体を得ることが目的である。
【課題を解決するための手段】
【０００７】
請求項１に記載する本発明の筒状構造体は、長尺状とされ、その軸方向視で一方側領域に配置された第一部位が前記軸方向視で他方側領域に配置された第二部位よりも軸方向の剛性が低く設定された筒状の本体部材と、前記本体部材の前記第一部位に貼付された繊維強化樹脂製の補強シートと、を有し、前記第一部位と前記補強シートとが一体化されて構成された第一部位側構造部は、前記第二部位よりも前記本体部材の軸方向に沿う方向の剛性が低く設定されている。
【０００８】
上記構成によれば、長尺状で筒状の本体部材は、その軸方向視で一方側領域に配置された第一部位が前記軸方向視で他方側領域に配置された第二部位よりも軸方向の剛性が低く設定されている。そして、本体部材の第一部位には繊維強化樹脂製の補強シートが貼付されており、第一部位と補強シートとが一体化されて構成された第一部位側構造部は、第二部位よりも本体部材の軸方向に沿う方向の剛性が低く設定されている。このため、筒状構造体の軸方向に衝突荷重が作用する場合、第一部位側構造部の側が凹むように曲げ変形する。ここで、本発明では本体部材において凹む側となる第一部位に補強シートが貼付されているので、筒状構造体が曲げ変形しようとする際には、圧縮力に対して変形し難い繊維強化樹脂製の補強シートに荷重の一部を受け持たせることができる。したがって、筒状構造体の座屈が抑制される。
【０００９】
請求項２に記載する本発明の筒状構造体は、請求項１に記載の構成において、前記補強シートは、前記本体部材の軸方向の全長に亘って延在して前記第一部位に貼付されている。
【００１０】
上記構成によれば、筒状構造体の軸方向に衝突荷重が作用して第一部位側構造部の側が凹むように曲げ変形しようとした場合、補強シートには本体部材の軸方向の全長に亘ってシート面に沿う方向の圧縮力が作用する。ここで、補強シートは、繊維強化樹脂製となっているので、前記圧縮力を良好に受け持つことができる。
【００１１】
請求項３に記載する本発明の筒状構造体は、請求項１又は請求項２に記載の構成において、前記補強シートは、前記本体部材の前記第一部位の外面に貼付されている。
【００１２】
上記構成によれば、筒状構造体の軸方向に衝突荷重が作用して本体部材の第一部位の側が凹むように曲げ変形しようとした場合、第一部位の内面よりも外面により大きな圧縮力が作用する。これに対して、第一部位の外面には補強シートが貼付されているので、補強シートにそのような圧縮力の一部を受け持たせることができる。
【００１３】
請求項４に記載する本発明の筒状構造体は、請求項２又は請求項２を引用する請求項３に記載の構成において、前記補強シートは、前記第一部位に対応する範囲において前記本体部材の周方向に沿う方向に間隔をあけて複数設けられている。
【００１４】
上記構成によれば、補強シートは、本体部材の軸方向の全長に亘って延在すると共に第一部位に対応する範囲において本体部材の周方向に沿う方向に間隔をあけて複数設けられているので、筒状構造体の軸方向に衝突荷重が作用した場合に補強シートに効率的に荷重を受け持たせることができると共に、軽量化にも有利となる。
【発明の効果】
【００１５】
以上説明したように、本発明の筒状構造体によれば、軸方向に衝突荷重が作用した場合に、所望の向きに曲げ変形させることができると共に、座屈を抑制することができるという優れた効果を有する。
【図面の簡単な説明】
【００１６】
【図１】本発明の第１の実施形態に係る筒状構造体を示す図である。図１（Ａ）は筒状構造体を示す側面図である。図１（Ｂ）は図１（Ａ）の１Ｂ−１Ｂ線に沿って切断した状態を示す断面図である。
【図２】図１の筒状構造体に対してその軸方向に衝突荷重が作用した場合の状態（衝突時のシミュレーションの結果）を示す側面図である。
【図３】図１の筒状構造体を備えた箱状物体の衝突時における状態変化を説明するための模式的な平面図である。図３（Ａ）は衝突直前の状態を示す。図３（Ｂ）は衝突直後に筒状構造体が変形した状態の一例を示す。図３（Ｃ）は衝突後の筒状構造体の変形により、箱状物体が衝突相手の壁を回避する方向に向きを変えた状態の一例を示す。
【図４】本発明の第２の実施形態に係る筒状構造体を示す図である。図４（Ａ）は筒状構造体を示す側面図である。図４（Ｂ）は図４（Ａ）の４Ｂ−４Ｂ線に沿って切断した状態を示す断面図である。
【図５】図４の筒状構造体に対してその軸方向に衝突荷重が作用した場合の状態（衝突時のシミュレーションの結果）を示す側面図である。
【図６】本発明の第３の実施形態に係る筒状構造体を示す図である。図６（Ａ）は筒状構造体を示す側面図である。図６（Ｂ）は図６（Ａ）の筒状構造体に対してその軸方向に衝突荷重が作用した場合の状態（衝突時のシミュレーションの結果）を示す側面図である。
【図７】本発明の第４の実施形態に係る筒状構造体を示す図である。図７（Ａ）は筒状構造体を示す側面図である。図７（Ｂ）は図７（Ａ）の筒状構造体に対してその軸方向に衝突荷重が作用した場合の状態（衝突時のシミュレーションの結果）を示す側面図である。
【図８】本発明の第５の実施形態に係る筒状構造体を示す図である。図８（Ａ）は筒状構造体を示す側面図である。図８（Ｂ）は図８（Ａ）の筒状構造体に対してその軸方向に衝突荷重が作用した場合の状態（衝突時のシミュレーションの結果）を示す側面図である。
【発明を実施するための形態】
【００１７】
［第１の実施形態］
本発明の第１の実施形態に係る筒状構造体について図１〜図３を用いて説明する。図１は、本実施形態に係る筒状構造体１０を示す図である。図１（Ａ）には、本実施形態に係る筒状構造体１０が側面図で示され、図１（Ｂ）には、図１（Ａ）の１Ｂ−１Ｂ線に沿って切断した状態の断面図が示されている。
【００１８】
図１に示されるように、筒状構造体１０は、長尺状とされた筒状の本体部材１２を有している。筒状の本体部材１２は、一例として金属材（例えば鋼材、アルミニウム合金材等）によって円筒形状に形成されており、本実施形態では直線状に延びている。なお、本体部材１２は、樹脂材（繊維強化樹脂材を含む）によって形成されてもよい。本体部材１２の軸方向の両端部は、図示しない取付相手に例えば突き当てられた状態で取り付けられる。
【００１９】
また、筒状の本体部材１２は、その軸方向視で一方側領域（図中では上側の領域）に配置された第一部位１４が前記軸方向視で他方側領域（図中では下側の領域）に配置された第二部位１６よりも軸方向の剛性が低く設定されている。具体的に説明すると、本実施形態では、一例として、第一部位１４の外径と第二部位１６の外径とが等しく設定されると共に、第一部位１４の肉厚が第二部位１６の肉厚よりも薄く設定されており、それによって上述した剛性差が設定されている。
【００２０】
本体部材１２における差厚構造は、一例として肉厚の異なる部材同士を互いに接合（例えばテーラードブランク工法等による接合）して本体部材１２を形成することで、設定可能である。また、本体部材１２の外径や肉厚や長手方向の寸法等は、筒状構造体１０の用途に応じて種々の設定を採り得る。
【００２１】
一方、本体部材１２の第一部位１４の外面１４Ａには、繊維強化樹脂製の補強シート２０が貼付されている。なお、繊維強化樹脂は、繊維を樹脂で固めて成る複合材料である。繊維強化樹脂は、ＦＲＰともいい、ＣＦＲＰ（炭素繊維強化樹脂）やＧＦＲＰ（ガラス繊維強化樹脂）が含まれる。繊維強化樹脂に含有される繊維としては例えば連続繊維を適用することができる他、長繊維や短繊維を適用することもできる。また、繊維強化樹脂製の補強シート２０を第一部位１４の外面１４Ａに貼付する（接着する）際に使用される接着剤には、エポキシ系、ウレタン系、アクリル系等の構造用接着剤が適用可能である。
【００２２】
本実施形態では、補強シート２０は、本体部材１２の軸方向の全長に亘って延在して第一部位１４の外面１４Ａの全域に貼付されている。そして、第一部位１４と補強シート２０とが一体化されて構成された第一部位側構造部２２は、第二部位１６よりも本体部材１２の軸方向に沿う方向の剛性が低く設定されている。
【００２３】
図３（Ａ）には、筒状構造体１０を備えて進行可能な箱状物体２４（本実施形態では一例として車両）の模式的な平面図が示されている。なお、図３（Ａ）及び図３（Ｂ）に示される矢印ＦＲは箱状物体２４の進行方向（車両前方側）を示しており、矢印Ｗは箱状物体２４の幅方向（車両幅方向）を示している。
【００２４】
図３（Ａ）に示されるように、箱状物体２４において、筒状構造体１０は、箱状物体２４の前部側かつ側部側に配置されると共に平面視で筒状構造体１０の軸方向が箱状物体２４の前後方向に沿うように設定されている。更に、筒状構造体１０は、第二部位１６に対して第一部位側構造部２２が箱状物体２４の幅方向内側に配置されるように設定されている。筒状構造体１０の軸方向の両端部は、箱状物体２４の骨格構造体の図示しない他の構造部に取り付けられている。
【００２５】
なお、本実施形態の変形例として、筒状構造体１０と同様の構成の筒状構造体が箱状物体（２４）の前部側かつ側部側（筒状構造体１０と実質的に同様の位置）に配置されると共に平面視で筒状構造体の軸方向が前方側へ向けて幅方向内側に傾斜するように設定され、更に第二部位（１６）に対して第一部位側構造部（２２）が箱状物体（２４）の幅方向内側に配置されるように設定されてもよい（図示省略）。
【００２６】
（作用・効果）
次に、本実施形態の作用及び効果について説明する。
【００２７】
図１に示される長尺状で筒状の本体部材１２は、その軸方向視で一方側領域に配置された第一部位１４が前記軸方向視で他方側領域に配置された第二部位１６よりも軸方向の剛性が低く設定されている。そして、本体部材１２の第一部位１４には繊維強化樹脂製の補強シート２０が貼付されており、第一部位１４と補強シート２０とが一体化されて構成された第一部位側構造部２２は、第二部位１６よりも本体部材１２の軸方向に沿う方向の剛性が低く設定されている。このため、図２に示されるように、筒状構造体１０の軸方向に衝突荷重Ｆが作用する場合、第一部位側構造部２２は凹むように概ね弓なりに曲げ変形して圧縮応力が生じると共に第二部位１６は本体部材１２の外側に膨らむように変形して引張り応力が生じる。
【００２８】
ここで、本実施形態では本体部材１２において凹む側となる第一部位１４に補強シート２０が貼付されているので、筒状構造体１０が曲げ変形しようとする際には、圧縮力に対して変形し難い繊維強化樹脂製の補強シート２０に衝突荷重Ｆの一部を受け持たせることができる。したがって、第一部位側構造部２２の座屈が抑制されると共に、第二部位１６の湾曲形状が概ね維持される。すなわち、筒状構造体１０の座屈が抑制される。
【００２９】
なお、図２では、筒状構造体１０の軸方向一方側（図中左側）が固定相手１００に固定され、筒状構造体１０の軸方向他方側（図中右側）から衝突荷重Ｆが入力された場合のシミュレーション結果を示している。
【００３０】
また、本実施形態では、補強シート２０は、本体部材１２の軸方向の全長に亘って延在して第一部位１４に貼付されている。したがって、筒状構造体１０の軸方向に衝突荷重Ｆが作用して本体部材１２の第一部位側構造部２２の側が凹むように曲げ変形しようとした場合、補強シート２０には本体部材１２の軸方向の全長に亘ってシート面に沿う方向の圧縮力が作用する。ここで、補強シート２０は、繊維強化樹脂製となっているので、前記圧縮力を良好に受け持つことができる。
【００３１】
一方、筒状構造体１０の軸方向に衝突荷重Ｆが作用して本体部材１２の第一部位１４の側が凹むように曲げ変形しようとした場合、図１（Ｂ）に示される第一部位１４の内面１４Ｂよりも外面１４Ａにより大きな圧縮力が作用する。これに対して、本実施形態では、第一部位１４の外面１４Ａに補強シート２０が貼付されているので、補強シート２０にそのような圧縮力の一部を受け持たせることができる。
【００３２】
以上説明したように、本実施形態の筒状構造体１０によれば、図２に示されるように、軸方向に衝突荷重Ｆが作用した場合に、筒状構造体１０を所望の向きに曲げ変形させることができると共に、筒状構造体１０の座屈を抑制することができる。また、繊維強化樹脂は、比剛性及び比強度が高いので、本実施形態のように補強シート２０が貼付された構造を採用しても、重量化は抑えられる。
【００３３】
また、図３（Ａ）に示されるように、箱状物体２４において、筒状構造体１０は、箱状物体２４の前部側かつ側部側に配置されると共に平面視で筒状構造体１０の軸方向が箱状物体２４の前後方向に沿うように設定され、更に、第二部位１６に対して第一部位側構造部２２が箱状物体２４の幅方向内側に配置されるように設定されている。このため、箱状物体２４の前部側かつ側部側の部位が剛体の壁２６（衝突相手）と衝突して箱状物体２４の前方側から衝突荷重Ｆａが入力された場合、図３（Ｂ）に示されるように、筒状構造体１０は、箱状物体２４の幅方向外側に膨らむように湾曲状に変形しながらエネルギを吸収する。そして、筒状構造体１０の第一部位側構造部２２には補強シート２０が設けられているので、筒状構造体１０は、湾曲状の変形形状が維持され、座屈が抑制される。
【００３４】
このように、筒状構造体１０の座屈が抑制されて筒状構造体１０の湾曲状の変形形状が維持されると、図３（Ｃ）に示されるように、筒状構造体１０は、衝突相手の壁２６から逸れるように、箱状物体２４の当初の前後方向に対して斜めに（矢印Ｄ方向参照）移動する。すなわち、筒状構造体１０は、壁２６から受ける衝突荷重を低減しながら壁２６との正面衝突状態を回避すること（又はそれに近い状態にすること）ができる。
【００３５】
［第２の実施形態］
次に、本発明の第２の実施形態に係る筒状構造体３０について、図４及び図５を用いて説明する。図４（Ａ）には、本実施形態に係る筒状構造体３０が側面図で示され、図４（Ｂ）には図４（Ａ）の４Ｂ−４Ｂ線に沿って切断した状態の断面図が示されている。図４に示されるように、本実施形態の筒状構造体３０は、補強シート２０（図１参照）に代えて、補強シート３２を備える点で、第１の実施形態に係る筒状構造体１０（図１参照）とは異なる。他の構成は、第１の実施形態と同様の構成となっている。よって、第１の実施形態と同様の構成部については、同一符号を付して説明を省略する。なお、図４（Ａ）においては、第一部位１４と第二部位１６との境界線を二点鎖線ＢＬで示す。
【００３６】
図４に示されるように、補強シート３２は、本体部材１２の第一部位１４の内面１４Ｂに貼付されている。この補強シート３２は、第１の実施形態の補強シート２０（図１参照）と同様に、繊維強化樹脂製とされている。補強シート３２は、本体部材１２の軸方向の全長に亘って延在して第一部位１４の内面１４Ｂの全域に貼付されている。そして、第一部位１４と補強シート３２とが一体化されて構成された第一部位側構造部３４は、第二部位１６よりも本体部材１２の軸方向に沿う方向の剛性が低く設定されている。
【００３７】
次に、上記実施形態の作用及び効果について説明する。
【００３８】
衝突時のシミュレーションの結果である図５に示されるように、筒状構造体３０の軸方向に衝突荷重Ｆが作用すると、筒状構造体３０の第一部位側構造部３４の側が凹むように曲げ変形しようとする。その際には、第１の実施形態と同様に、圧縮力に対して変形し難い繊維強化樹脂製の補強シート３２（図４（Ｂ）参照）に衝突荷重Ｆの一部を受け持たせることができる。したがって、筒状構造体３０の座屈が抑制される。
【００３９】
また、本実施形態では、第１の実施形態の補強シート２０（図１参照）と同様に、補強シート３２（図４（Ｂ）参照）は、本体部材１２の軸方向の全長に亘って延在して第一部位１４に貼付されているので、筒状構造体３０の軸方向に衝突荷重Ｆが作用して筒状構造体３０が曲げ変形しようとする際に作用する第一部位１４の側の圧縮力の一部を補強シート３２（図４（Ｂ）参照）に良好に受け持たせることができる。
【００４０】
以上説明したように、本実施形態の筒状構造体３０によっても、軸方向に衝突荷重Ｆが作用した場合に、筒状構造体３０を所望の向きに曲げ変形させることができると共に、筒状構造体３０の座屈を抑制することができる。
【００４１】
なお、補強シートによる補強効果という観点に立つと、本実施形態の図４（Ｂ）に示されるように第一部位１４の内面１４Ｂに貼付された補強シート３２による補強効果よりも、第１の実施形態のように第一部位１４の外面１４Ａに貼付された補強シート２０（図１参照）による補強効果の方が大きい。しかしながら、本体部材１２の板厚が薄いことを踏まえると、本実施形態のように、第一部位１４の内面１４Ｂに補強シート３２を貼付した構成であっても、かなりの補強効果を得ることができる。また、第一部位１４の外面１４Ａに補強シート２０（図１参照）を貼付する構成を採ることが困難な場合には、本実施形態のように、第一部位１４の内面１４Ｂに補強シート３２を貼付する構成を採ることが好ましい。
【００４２】
［第３の実施形態］
次に、本発明の第３の実施形態に係る筒状構造体４０について、図６を用いて説明する。図６（Ａ）には、本実施形態に係る筒状構造体４０が側面図で示されている。なお、図中においては、縦横に一定の間隔で引かれた罫線が図示されている。ちなみに、図６（Ａ）では筒状構造体４０の曲面部分が図示されているため、紙面上においては、筒状構造体４０の上下方向中央部から上下の端部側へ向かうに従って罫線同士の上下方向の間隔が狭く見えている。
【００４３】
図６（Ａ）に示されるように、本実施形態の筒状構造体４０は、補強シート２０（図１参照）に代えて、複数の補強シート４２を備える点で、第１の実施形態に係る筒状構造体１０（図１参照）とは異なる。他の構成は、第１の実施形態と同様の構成となっている。よって、第１の実施形態と同様の構成部については、同一符号を付して説明を省略する。
【００４４】
図６（Ａ）に示されるように、補強シート４２は、本体部材１２の第一部位１４（図中では本体部材１２の上側半分の部分）の外面１４Ａに貼付されている。この補強シート４２は、第１の実施形態の補強シート２０（図１参照）と同様に、繊維強化樹脂製とされている。本実施形態では、補強シート４２は、帯状とされ、本体部材１２の軸方向の全長に亘って（図中では縦の罫線をすべて横切って）延在して第一部位１４に貼付されている。また、補強シート４２は、第一部位１４に対応する範囲において本体部材１２の周方向に沿う方向に間隔をあけて（図中では横の罫線同士の間隔分の間隔をあけて）複数設けられている。複数の補強シート４２は、一例として等間隔で配置され、補強シート４２同士の間隔の長さと補強シート４２の幅（補強シート４２において本体部材１２の周方向に沿う方向の長さ）とが等しく設定されている。そして、第一部位１４と補強シート４２とが一体化されて構成された第一部位側構造部４４は、第二部位１６（図中では本体部材１２の下側半分の部分）よりも本体部材１２の軸方向に沿う方向の剛性が低く設定されている。
【００４５】
次に、上記実施形態の作用及び効果について説明する。
【００４６】
衝突時のシミュレーションの結果である図６（Ｂ）に示されるように、筒状構造体４０の軸方向に衝突荷重Ｆが作用すると、筒状構造体４０の第一部位側構造部４４の側が凹むように曲げ変形しようとする。その際には、第１の実施形態と同様に、圧縮力に対して変形し難い繊維強化樹脂製の補強シート４２に衝突荷重Ｆの一部を受け持たせることができる。したがって、筒状構造体４０の座屈が抑制される。
【００４７】
また、本実施形態では、第１の実施形態の補強シート２０（図１参照）と同様に、補強シート４２は、本体部材１２の軸方向の全長に亘って延在して第一部位１４に貼付されているので、筒状構造体４０の軸方向に衝突荷重Ｆが作用して筒状構造体４０が曲げ変形しようとする際に作用する第一部位１４の側の圧縮力の一部を補強シート４２に良好に受け持たせることができる。また、第一部位側構造部４４は、筒状構造体４０の軸方向の全長に亘って同じ構造になっているので、筒状構造体４０の軸方向に衝突荷重Ｆが作用した場合に局所変形しにくい。また、本実施形態では、第１の実施形態と同様に、第一部位１４の外面１４Ａに補強シート４２が貼付されているので、第一部位１４の外面１４Ａ側に作用する圧縮力（第一部位１４の内面側よりも大きな圧縮力）の一部を補強シート４２に受け持たせることができる。
【００４８】
また、本実施形態では、補強シート４２は、本体部材１２の軸方向の全長に亘って延在すると共に第一部位１４に対応する範囲において本体部材１２の周方向に沿う方向に間隔をあけて複数設けられているので、筒状構造体４０の軸方向に衝突荷重Ｆが作用した場合に補強シート４２に効率的に衝突荷重Ｆの一部を受け持たせることができると共に、軽量化にも有利となっている。
【００４９】
以上説明したように、本実施形態の筒状構造体４０によっても、軸方向に衝突荷重Ｆが作用した場合に、筒状構造体４０を所望の向きに曲げ変形させることができると共に、筒状構造体４０の座屈を抑制することができる。
【００５０】
［第４の実施形態］
次に、本発明の第４の実施形態に係る筒状構造体５０について、図７を用いて説明する。図７（Ａ）には、本実施形態に係る筒状構造体５０が側面図で示されている。なお、図中においては、縦横に一定の間隔で引かれた罫線が図示されている。図７（Ａ）に示されるように、本実施形態の筒状構造体５０は、補強シート２０（図１参照）に代えて、複数の補強シート５２を備える点で、第１の実施形態に係る筒状構造体１０（図１参照）とは異なる。他の構成は、第１の実施形態と同様の構成となっている。よって、第１の実施形態と同様の構成部については、同一符号を付して説明を省略する。
【００５１】
図７（Ａ）に示されるように、補強シート５２は、本体部材１２の第一部位１４（図中では本体部材１２の上側半分の部分）の外面１４Ａに貼付されている。この補強シート５２は、第１の実施形態の補強シート２０（図１参照）と同様に、繊維強化樹脂製とされている。本実施形態では、補強シート５２は、第一部位１４に対応する範囲において本体部材１２の軸方向に沿う方向（図中の左右方向）に間隔をあけて複数設けられている。複数の補強シート５２は、一例として等間隔で配置され、補強シート５２同士の間隔の長さと補強シート５２の幅（補強シート５２において本体部材１２の軸方向に沿う方向の長さ）とが等しく設定されている。
【００５２】
また、補強シート５２は、第一部位１４に対応する範囲において本体部材１２の周方向に沿う方向の全長に亘って延在して第一部位１４に貼付されている。言い換えれば、補強シート５２は、第一部位１４に貼付された状態では、筒状構造体５０の軸方向視で半円形状とされる。そして、第一部位１４と補強シート５２とが一体化されて構成された第一部位側構造部５４は、第二部位１６（図中では本体部材１２の下側半分の部分）よりも本体部材１２の軸方向に沿う方向の剛性が低く設定されている。
【００５３】
次に、上記実施形態の作用及び効果について説明する。
【００５４】
衝突時のシミュレーションの結果である図７（Ｂ）に示されるように、筒状構造体５０の軸方向に衝突荷重Ｆが作用すると、筒状構造体５０の第一部位側構造部５４の側が凹むように曲げ変形しようとする。その際には、第１の実施形態と同様に、圧縮力に対して変形し難い繊維強化樹脂製の補強シート５２に衝突荷重Ｆの一部を受け持たせることができる。したがって、筒状構造体５０の座屈が抑制される。また、本実施形態では、第１の実施形態と同様に、第一部位１４の外面１４Ａに補強シート５２が貼付されているので、第一部位１４の外面１４Ａ側に作用する圧縮力（第一部位１４の内面側よりも大きな圧縮力）の一部を補強シート５２に受け持たせることができる。
【００５５】
以上説明したように、本実施形態の筒状構造体５０によっても、軸方向に衝突荷重Ｆが作用した場合に、筒状構造体５０を所望の向きに曲げ変形させることができると共に、筒状構造体５０の座屈を抑制することができる。
【００５６】
［第５の実施形態］
次に、本発明の第５の実施形態に係る筒状構造体６０について、図８を用いて説明する。図８（Ａ）には、本実施形態に係る筒状構造体６０が側面図で示されている。なお、図中においては、縦横に一定の間隔で引かれた罫線が図示されている。この図に示されるように、本実施形態の筒状構造体６０は、補強シート２０（図１参照）に代えて、補強シート６２を備える点で、第１の実施形態に係る筒状構造体１０（図１参照）とは異なる。他の構成は、第１の実施形態と同様の構成となっている。よって、第１の実施形態と同様の構成部については、同一符号を付して説明を省略する。
【００５７】
図８（Ａ）に示されるように、補強シート６２は、本体部材１２の第一部位１４（図中では本体部材１２の上側半分の部分）の外面１４Ａに貼付されている。この補強シート６２は、第１の実施形態の補強シート２０（図１参照）と同様に、繊維強化樹脂製とされている。本実施形態では、補強シート６２は、第一部位１４に対応する範囲において本体部材１２の軸方向に沿う方向（図中の左右方向）に延在して本体部材１２の軸方向に沿う方向の中間部に設けられている。また、この補強シート６２は、第一部位１４に対応する範囲において本体部材１２の周方向に沿う方向の中間部（図中では上部）に設けられている。そして、第一部位１４と補強シート６２とが一体化されて構成された第一部位側構造部６４は、第二部位１６（図中では本体部材１２の下側半分の部分）よりも本体部材１２の軸方向に沿う方向の剛性が低く設定されている。
【００５８】
次に、上記実施形態の作用及び効果について説明する。
【００５９】
衝突時のシミュレーションの結果である図８（Ｂ）に示されるように、筒状構造体６０の軸方向に衝突荷重Ｆが作用すると、筒状構造体６０の第一部位側構造部６４の側が凹むように曲げ変形しようとする。その際には、第１の実施形態と同様に、圧縮力に対して変形し難い繊維強化樹脂製の補強シート６２に衝突荷重Ｆの一部を受け持たせることができる。したがって、筒状構造体６０の座屈が抑制される。また、本実施形態では、第１の実施形態と同様に、第一部位１４の外面１４Ａに補強シート６２が貼付されているので、補強シート６２に第一部位１４の外面１４Ａ側に作用する圧縮力（第一部位１４の内面側よりも大きな圧縮力）の一部を受け持たせることができる。
【００６０】
以上説明したように、本実施形態の筒状構造体６０によっても、軸方向に衝突荷重Ｆが作用した場合に、筒状構造体６０を所望の向きに曲げ変形させることができると共に、筒状構造体６０の座屈を抑制することができる。
【００６１】
なお、本実施形態では、第一部位１４の一部に補強シート６２が貼り付けられるので、軽量化にも有利となっている。
【００６２】
［実施形態の補足説明］
なお、上記実施形態の図１〜図８に示される第一部位側構造部２２、３４、４４、５４、６４における本体部材１２の軸方向に沿う方向の剛性値と、第二部位１６における本体部材１２の軸方向に沿う方向の剛性値との差は、第二部位１６における本体部材１２の軸方向に沿う方向の剛性値の１／３以下にすることが望ましい。
【００６３】
また、上記実施形態では、筒状の本体部材１２が円筒形状に形成されているが、筒状の本体部材は、例えば角筒状に形成された本体部材等のような他の筒状の本体部材とされてもよい。
【００６４】
また、上記実施形態では、筒状の本体部材１２が直線状に延びた部材とされているが、筒状の本体部材は、曲部を含んで構成された部材であってもよい。
【００６５】
また、上記実施形態では、第一部位１４と第二部位１６との剛性差を設定するために、第一部位１４の外径と第二部位１６の外径とが等しく設定されると共に、第一部位１４の肉厚が第二部位１６の肉厚よりも薄く設定されているが、例えば、第一部位（１４）の内径と第二部位（１６）の内径とが等しく設定されると共に、第一部位（１４）の肉厚が第二部位（１６）の肉厚よりも薄く設定されてもよい。また、他の変形例として、例えば、第一部位（１４）の内径が第二部位（１６）の内径より大きく設定されると共に、第一部位（１４）の外径が第二部位（１６）の外径より小さく設定されてもよい。
【００６６】
また、第一部位１４と第二部位１６との剛性差を設定するために、上述の肉厚差の設定に代えて、以下の構成の変形例を採用してもよい。すなわち、例えば、第一部位（１４）を構成する材料が第二部位（１６）を構成する材料よりも軸方向の剛性が低い材料とされるような構成が採用されてもよい。また、他の変形例として、例えば第二部位（１６）にのみリブを形成する等のように、上述の肉厚差の設定以外の三次元形状を工夫するような設定で、第一部位（１４）が第二部位（１６）よりも軸方向の剛性が低く設定されるような構成が採られてもよい。
【００６７】
また、上記第３、第４の実施形態では、図６及び図７に示されるように複数の補強シート４２、５２は等間隔で配置されているが、複数の補強シート（４２、５２）同士の間隔は適宜設定し得る。
【００６８】
ちなみに、筒状構造体１０、３０、４０、５０、６０を複数含んで構成された構造体が実施されてもよい。例えば、複数の筒状構造体（１０、３０、４０、５０、６０）と、前記複数の筒状構造体（１０、３０、４０、５０、６０）を所定の中心軸線の周りの周方向に並列に配置されるように保持する保持部材と、を有し、前記複数の筒状構造体（１０、３０、４０、５０、６０）の集合体である筒集合体は、その軸方向視で内側領域に配置された内側部位が第一部位側構造部（２２、３４、４４、５４、６４）で構成されて前記軸方向視で外側領域に配置された外側部位としての第二部位（１６）よりも軸方向の剛性が低く設定されている、という構造体が実施されてもよい。
【００６９】
なお、上記実施形態及び上述の変形例は、適宜組み合わされて実施可能である。
【００７０】
以上、本発明の一例について説明したが、本発明は、上記に限定されるものでなく、上記以外にも、その主旨を逸脱しない範囲内において種々変形して実施可能であることは勿論である。
【符号の説明】
【００７１】
１０    筒状構造体
１２    本体部材
１４    第一部位
１４Ａ  第一部位の外面
１６    第二部位
２０    補強シート
２２    第一部位側構造部
３０    筒状構造体
３２    補強シート
３４    第一部位側構造部
４０    筒状構造体
４２    補強シート
４４    第一部位側構造部
５０    筒状構造体
５２    補強シート
５４    第一部位側構造部
６０    筒状構造体
６２    補強シート
６４    第一部位側構造部
【図１】
2019094953.tif 000003
【図２】
2019094953.tif 000004
【図３】
2019094953.tif 000005
【図４】
2019094953.tif 000006
【図５】
2019094953.tif 000007
【図６】
2019094953.tif 000008
【図７】
2019094953.tif 000009
【図８】
2019094953.tif 000010